(57)【要約】衝撃ストリップをタイヤ試験スタンドの走行ローラ上に取付けるために、衝撃ストリップは、簡単なねじ接続によって走行ローラ上に組立てられる。この場合、発生する負荷は、衝撃ストリップとドラムとの間の摩擦によって周方向に伝達されなければならない。取付けねじは、その際、極めて高い曲げ負荷を受ける。従って、このような取付けコンセプトにおいては、比較的小さな負荷のみが周方向に許容される。このために、タイヤ試験スタンド用の走行ドラム装置１を提案する。走行ドラム装置１が、走行ドラム２を備える。走行ドラム２が回転軸Ｒを画定し、少なくとも１つの取付け手段受容部８を備える。取付け手段受容部が主軸Ｈを画定し、少なくとも１つの衝撃ストリップ４を備える。衝撃ストリップが、回転軸に対して、走行ドラムの径方向外側に配置されている。走行ドラム装置が少なくとも１つの取付け手段７を備える。取付け手段が衝撃ストリップを走行ドラム上に取付け、取付け手段受容部に受容されている。走行ドラム装置が少なくとも１つの嵌合具１１を備える。嵌合具が走行ドラムと衝撃ストリップとの間に配置され、走行ドラム及び衝撃ストリップと、回転軸に対して回転方向に形状による係合を構成する。【選択図】図１
2019525143.tif 000002
【特許請求の範囲】
【請求項１】
タイヤ試験スタンド用の走行ドラム装置（１）であって、走行ドラム（２）を備え、前記走行ドラム（２）が回転軸（Ｒ）を画定し、前記走行ドラム（２）が少なくとも１つの取付け手段受容部（８）を備え、前記取付け手段受容部（８）が主軸（Ｈ）を画定し、前記走行ドラム装置（１）が少なくとも１つの衝撃ストリップ（４）を備え、前記衝撃ストリップ（４）が、回転軸（Ｒ）に対して、走行ドラム（２）の径方向外側に配置され、前記走行ドラム装置（１）が少なくとも１つの取付け手段（７）を備え、前記取付け手段（７）が前記衝撃ストリップ（４）を前記走行ドラム（２）上に取付け、前記取付け手段（７）が前記取付け手段受容部（８）に受容されている走行ドラム装置（１）において、前記走行ドラム装置（１）が少なくとも１つの嵌合具（１１）を備え、前記嵌合具（１１）が前記走行ドラム（２）と前記衝撃ストリップ（４）との間に配置され、前記嵌合具（１１）が、前記走行ドラム（２）及び前記衝撃ストリップ（４）と、前記回転軸（Ｒ）に対して回転方向に形状による係合を構成することを特徴とする走行ドラム装置（１）。
【請求項２】
請求項１に記載の走行ドラム装置（１）であって、前記嵌合具（１１）が、前記衝撃ストリップ（４）と第１形状係合連結を、また前記走行ドラム（２）と第２形状係合連結を構成し、前記第１形状係合連結が、負荷を回転方向で受容し、前記第２形状係合連結を介して前記負荷を前記走行ドラム（２）に放出することを特徴とする走行ドラム装置（１）。
【請求項３】
請求項２に記載の走行ドラム装置（１）であって、前記嵌合具（１１）が第１固定部（１２ａ）及び第２固定部（１２ｂ）を備え、両方の固定部（１２ａ、１２ｂ）が、前記衝撃ストリップ（４）を両側で包囲し、第１形状係合連結を主軸（Ｈ）に対して径方向に構成し、前記両方の固定部（１２ａ、１２ｂ）が、前記衝撃ストリップ（４）に作用する力を受容することを特徴とする走行ドラム装置（１）。
【請求項４】
請求項３に記載の走行ドラム装置（１）であって、前記第１固定部（１２ａ）が前記衝撃ストリップ（４）の第１側面（４ｃ）に形状による係合的に当接し、及び／又は第２固定部（１２ｂ）が前記衝撃ストリップ（４）の第２側面（４ｄ）に形状による係合的に当接することを特徴とする走行ドラム装置（１）。
【請求項５】
請求項２〜４の何れか一項又は複数項に記載の走行ドラム装置（１）であって、前記取付け手段受容部（８）が当接部（９）を備え、前記嵌合具（１１）が接触部（１３）を備え、前記接触部（１３）が、主軸（Ｈ）に対して径方向に及び／又は軸方向に、前記当接部（９）と第２形状係合連結を構成することを特徴とする走行ドラム装置（１）。
【請求項６】
請求項１〜５の何れか一項に記載の走行ドラム装置（１）であって、前記嵌合具（１１）が下部支承部（１４）を備え、前記下部支承部（１４）が、前記走行ドラム（２）に当接し、前記走行ドラム（２）と、回転軸（Ｒ）に対して径方向に形状による係合を構成することを特徴とする走行ドラム装置（１）。
【請求項７】
請求項１〜６の何れか一項に記載の走行ドラム装置（１）であって、前記嵌合具（１１）が上部支承部（１５）を備え、前記上部支承部（１５）が、前記衝撃ストリップ（４）の下側に当接し、前記衝撃ストリップ（４）と、回転軸（Ｒ）に対して径方向に形状による係合を構成することを特徴とする走行ドラム装置（１）。
【請求項８】
請求項１〜７の何れか一項に記載の走行ドラム装置（１）であって、前記衝撃ストリップ（４）が下側に、前記嵌合具（１１）を受容するリセス（１９）を備え、前記リセス（１９）が部分的に前記嵌合具（１１）の領域において、前記衝撃ストリップ（４）の長手方向及び／又は横方向に延在することを特徴とする走行ドラム装置（１）。
【請求項９】
請求項１〜８の何れか一項に記載の走行ドラム装置（１）であって、前記衝撃ストリップ（４）が下側に凹部（２０）を備え、前記凹部（２０）が前記衝撃ストリップ（４）の長手方向延在部及び／又は横方向延在部に、完全に及び／又は部分的に延在し、前記凹部（２０）が少なくとも、１つの第１ブリッジ部（２１ａ）及び１つの第２ブリッジ部（２１ｂ）を構成し、両方のブリッジ部（２１ａ、２１ｂ）が前記嵌合具（１１）を両側で包囲することを特徴とする走行ドラム装置（１）。
【請求項１０】
請求項１〜９の何れか一項に記載の走行ドラム装置（１）であって、前記衝撃ストリップ（４）が回転軸（Ｒ）に対して平行に又は傾斜して、前記走行ドラム（２）上に取付け可能であることを特徴とする走行ドラム装置（１）。
【請求項１１】
請求項１〜１０の何れか一項に記載の走行ドラム装置（１）であって、エラストマー層（１８）は、前記衝撃ストリップ（４）と前記走行ドラム（２）との間に、全面で又は部分的に配置されていることを特徴とする走行ドラム装置（１）。
【請求項１２】
請求項１〜１１の何れか一項に記載の走行ドラム装置（１）を備えるタイヤ試験スタンド。
【発明の詳細な説明】
【技術分野】
【０００１】
本発明は、請求項１の上位概念に記載の特徴を有する、タイヤ試験スタンド用の走行ドラム装置、及び請求項１２に記載の特徴を有する、走行ドラム装置を備えるタイヤ試験スタンドに関する。
【背景技術】
【０００２】
衝撃ストリップをタイヤ試験スタンドの走行ローラ上に取り付けるために、衝撃ストリップは、簡単なねじ接続によって走行ローラ上に組立てられる。この場合、発生する負荷は、衝撃ストリップとドラムとの間の摩擦によって周方向に伝達されなければならない。取付けねじは、その際、極めて高い曲げ負荷を受ける。従って、このような取付けコンセプトにおいては、比較的小さな負荷のみが周方向に許容される。そのため、衝撃ストリップを取付ける設計によって、許容可能な車輪接触力、衝撃ストリップの形状及び高さ、タイヤの横転速度及び断面形状が制限される。
【０００３】
おそらく最も近似する従来技術を構成するドイツ国実用新案第２９９  ２３  ７２８号は、自動車試験スタンド又はタイヤ試験スタンド用の走行ドラムを開示する。走行面のセグメントは取り外し可能である。また、ネガティブな径方向の盛り上がりを有する障害物を使用することができる。円筒形走行ドラムの外殻部には、平面加工された支承プレートが溶接されている。支承プレート上には、様々な障害物及び取り外し可能な元来の走行面部をねじ留めすることができる。個々の障害物の場合、最も簡単な解決策としては、衝撃ストリップをねじ留めすることである。なぜなら、試験作動において最も素早く組立てることができるのが、衝撃ストリップであるためである。
【先行技術文献】
【特許文献】
【０００４】
【特許文献１】ドイツ国実用新案第２９９  ２３  ７２８号
【発明の概要】
【発明が解決しようとする課題】
【０００５】
本発明の課題は、衝撃ストリップに、より高い負荷をかけることが許容される、タイヤ試験スタンド用の走行ドラム装置を提供することである。
【課題を解決するための手段】
【０００６】
この課題は、請求項１に記載の特徴を有する、タイヤ試験スタンド用の走行ドラム装置、及び請求項１２に記載の特徴を有する、走行ドラム装置を備える試験スタンドによって解決される。本発明の好適又は有利な実施形態は、従属請求項、以下の記載、及び／又は添付の図面から明らかとなる。
【０００７】
本発明により、タイヤ試験スタンド用の走行ドラム装置を提案する。走行ドラム装置は、特に、好適には異なる速度に対して、車両タイヤにおいて衝撃ストリップ試験をシミュレーションする機能を有する。特に車両タイヤは、乗用車用タイヤ、又は自動二輪車用タイヤ、又はトラック用タイヤである。
【０００８】
走行ドラム装置は走行ドラムを備える。走行ドラムは、特に路面をシミュレーションする機能を有する。特に、試験負荷が車両タイヤにかけられる。そのため、例えば車輪接触力がシミュレーションされる。好適には、走行ドラムは円筒形状に形成されている。円筒外殻面は走行面を構成する。特に、走行ドラムと車両タイヤは、相対的に相互に移動可能である。そのため、好適には車両タイヤが、特に車両タイヤの周面が、走行ドラムと、特に走行面と、接触する及び／又は接触可能である。特に、走行ドラムは路面又はスチールコーティングを備える。好適には、走行ドラムは駆動装置によって駆動される。
【０００９】
走行ドラムは回転軸を画定する。特に、走行ドラムは回転軸に対して同軸に支承されている。好適には、走行ドラムは駆動装置とギヤによる技術的に接続されている。
【００１０】
走行ドラムは、取付け手段を受容する少なくとも１つの取付け手段受容部を備える。特に、取付け手段受容部は穴として又は開口部等として形成されている。好適には、取付け手段受容部が走行ドラムの走行面から、径方向に回転軸の方向へ延在する。好適には、取付け手段受容部は、内径ねじ、好適にはメートルねじを備える。特に、走行ドラムは複数の取付け手段受容部を備える。特に、取付け手段受容部は、回転軸に対して回転方向に及び／又は軸方向に、相互に等間隔で配置されている。取付け手段受容部は主軸を画定する。特に、主軸は対称軸、又は中心線若しくは中心軸である。特に、主軸は回転軸に対して径方向に延在する。
【００１１】
走行ドラム装置は、少なくとも１つの衝撃ストリップを備える。特に、衝撃ストリップは金属製ストリップ、プラスチック製ストリップ、又は複合材料製ストリップである。好適には衝撃ストリップが、直角の若しくは鋭角の、又は四角形の若しくは円形の輪郭を有する。特に衝撃ストリップは、５ｍｍを超える、好適には２０ｍｍを超える、とりわけ８０ｍｍを超える、高さを有する。代替的に又は任意補完的に衝撃ストリップは、１００ｍｍ未満の、好適には６０ｍｍ未満の、とりわけ１０ｍｍ未満の、高さを有する。
【００１２】
衝撃ストリップは、回転軸に対して、走行ドラムの径方向外側に配置されている。特に、衝撃ストリップは走行ドラムの走行面に配置されている。特に走行ドラム装置は、２つを超える、とりわけ４つを超える、衝撃ストリップを備える。好適には衝撃ストリップが、回転方向に相互に等間隔で、配置されている及び／又は配置可能である。
【００１３】
走行ドラム装置は、衝撃ストリップを走行ドラム上に取付ける少なくとも１つの取付け手段を備える。特に取付け手段は、衝撃ストリップを走行ドラムの径方向外側の上に固定し、好適には、衝撃ストリップを持ち上がることに抗して確実に固定する機能を有する。特に取付け手段は、完全に又は部分的に、力結合的及び／又は形状による係合的及び／又は摩擦結合的に、走行ドラムと接続されている。特に取付け手段が、ねじ手段及び／又は締付け手段及び／又はクランプ手段として形成されている。取付け手段は、取付け手段受容部に受容されている。特に取付け手段が、取付け手段受容部内にねじ留めされ、及び／又は締付けられ、及び／挿入され、及び／又はクランプされている。
【００１４】
特に、取付け手段又はねじ手段は、六角ねじ又は平頭ねじ又は皿ねじである。しかしながら、特に好適には、取付け手段が円筒ねじである。特に取付け手段は、外径ねじを、好適にはメートルねじを備える。特に取付け手段は、取付け手段受容部の内径ねじと係合させることが可能である。
【００１５】
本発明の範囲において、走行ドラム装置は、少なくとも１つの嵌合具を備える。特に、嵌合具は、取付け手段に作用する負荷を低減する機能を有する。特に、嵌合具は、平面図において、円形又は正方形又は長方形又は楕円形の形状を有する。特に、嵌合具は、プラスチック又は金属から、好適には合金又は複合材料からなる。嵌合具は、特に、取付け手段とは別個に形成されている。
【００１６】
嵌合具は、好適には、走行ドラムと衝撃ストリップとの間に配置されている。特に、嵌合具は、主軸に対して同軸及び／又は同心に配置されている。好適には、嵌合具は、取付け手段受容部内に導入することが可能である、及び／又は導入されている。特に、嵌合具は嵌合具開口部を備える。好適には、嵌合具開口部は、取付け手段を受容する及び／又はガイドするよう形成されている。
【００１７】
嵌合具は、一方では走行ドラムと、また他方では衝撃ストリップと、回転軸に対して回転方向に形状による係合を構成する。衝撃ストリップの組立の際、特に第１組立ステップにおいて、嵌合具を、走行ドラム上に、好適には取付け手段受容部内に挿入する。走行ドラムの長さ及び／又は衝撃ストリップの長さに応じて、好適には、更なる嵌合具を、更なる取付け手段受容部内に挿入する。
【００１８】
第２組立ステップにおいて、特に、好適には嵌合具が衝撃ストリップ及び走行ドラムと、回転軸に対して回転方向に及び／又は主軸に対して径方向に、形状による係合を構成するように、衝撃ストリップを嵌合具上に載せる。
【００１９】
第３組立ステップにおいて、特に、好適には続いて衝撃ストリップ及び嵌合具が、径方向に回転軸の方向に、取付け手段を用いて走行ドラムとクランプされるように、取付け手段を取付け手段受容部内に導入する。
【００２０】
特に、衝撃ストリップは、取付け手段をガイドする少なくとも１つの取付け手段ガイド開口部を備える。特に、取付け手段ガイド開口部は穴又は開口部である。好適には、取付け手段ガイド開口部は、主軸に対して同軸に、配置可能である及び／又は配置されている。特に、取付け手段は、主軸に沿って軸方向に、取付け手段ガイド開口部、嵌合具開口部、及び取付け手段受容部を通って、導入可能である及び／又は導入されている。好適には、取付け手段ガイド開口部は、座ぐり穴として形成されている。そのため、特にねじ手段は、好適にはねじ手段頭部は、衝撃ストリップ内に沈み込むことが可能である。特に、座ぐり穴は、円錐形状又は円筒形状の皿穴を備える。
【００２１】
本発明の利点は、特に、嵌合具が、衝撃ストリップ及び走行ドラムとの形状による係合によって、負荷又は少なくとも部分的な負荷を回転方向で受容するために、取付け手段の曲げ応力を著しく低減できることにある。これによって同様に、衝撃ストリップ試験の際に、より高い負荷が可能である。さらに衝撃ストリップは、特に高い負荷を受けるねじ留め位置において、追加の刻みを備えない。これによって、比較的に、極めて大きな負荷を周方向に受容することができる。更なる利点は、特に機械加工の労力が僅かであるために、衝撃ストリップを費用対効果に優れて製造できる点にある。特に有利には、衝撃ストリップの各幅用に、１セットのみの嵌合具を製造すればよい。その際、高さの異なる衝撃ストリップを取付けるのみでなく、衝撃ストリップをドラムに対して随意の角度で取付けられる。衝撃ストリップ毎に２つ以上の嵌合具を使用すると、斜めの取付け及びゼロ度でない角度での組立が、問題なく可能である。
【００２２】
本発明の好適な一実施形態において、嵌合具は、衝撃ストリップと第１形状係合連結を、また走行ドラムと第２形状係合連結を構成する。特に、第１形状係合連結及び／又は第２形状係合連結は、回転軸に対して回転方向及び／又は径方向の形状による係合である。代替的に又は任意補完的に、第１形状係合連結及び／又は第２形状係合連結は、主軸に対して径方向及び／又は軸方向の形状による係合である。
【００２３】
第１形状係合連結は、好適には、試験プロセスの間に衝撃ストリップに作用する負荷を回転方向で受容し、第２形状係合連結を介して負荷を走行ドラムに放出する。特に、負荷は回転方向に作用する力、好適には衝撃ストリップに作用する接線力である。
【００２４】
更なる好適な本発明の一実施形態において、嵌合具は第１固定部及び第２固定部を備える。両方の固定部が、特に、衝撃ストリップを固定する機能を有する。特に、嵌合具は溝を備える。溝は、好適には衝撃ストリップ用のガイドの役割を果たす。特に、第１固定部及び第２固定部は溝によって構成されている。特に、両方の固定部はブリッジ又は側面として形成されている。好適には、両方の固定部は相互に平行して走る。
【００２５】
特に両方の固定部は、主軸に対して軸方向に、衝撃ストリップの方向に、好適には径方向に回転軸から離れて、延在する。特に両方の固定部は、少なくとも１ｍｍの、好適には５ｍｍを超える、とりわけ１０ｍｍを超える、高さを有する。代替的に又は任意補完的に両方の固定部は、特に、２０ｍｍ未満の、好適には８ｍｍ未満の、とりわけ３ｍｍ未満の、高さを有する。
【００２６】
両方の固定部は、衝撃ストリップを両側で包囲し、第１形状係合連結を主軸に対して径方向に構成する。特に、両側の固定部は、衝撃ストリップを保持しつつ包囲する。そのため、好適には、衝撃ストリップに作用する力、例えば接線力が、両方の固定部のうちの少なくとも１つの固定部に伝達される。特に両方の固定部は、取付け手段がない場合に、衝撃ストリップが溝内部のみで移動可能である及び／又は溝内部で強制的にガイドされるよう、衝撃ストリップを包囲する。特に、両方の側面は相互に平行して走り、好適には衝撃ストリップの幅を画定する。
【００２７】
好適な一実施形態において、第１固定部は衝撃ストリップの第１側面に形状による係合的に当接し、及び／又は第２固定部は衝撃ストリップの第２側面に形状による係合的に当接する。特に、両方の固定部は、衝撃ストリップの幅の間隔に対応するよう、相互に離間している。好適には衝撃ストリップが、両方の固定部の間に、とりわけ形状による係合的及び／又は摩擦結合的及び／又は力結合的に遊びなく配置されている、又は僅かな遊びを有して配置されている。特に遊びは、２ｍｍ未満、好適には０．５ｍｍ未満、とりわけ０．１ｍｍ未満である。特に衝撃ストリップは、１０ｍｍを超える、好適には３０ｍｍを超える、とりわけ１００ｍｍを超える、幅を有する。代替的に又は任意補完的に衝撃ストリップは、特に、２００ｍｍ未満の、好適には５０ｍｍ未満の、とりわけ１５ｍｍ未満の、幅を有する。
【００２８】
取付け手段受容部は、当接部を備える。特に取付け手段受容部は、嵌合具を受容する当接部、及び取付け手段を受容する受容部を備える。特に当接部は、プリズム形状又は直方体形状又は円筒形状である。特に当接部は、接触部に対する輪郭的なパートナーを構成する。好適には当接部は、受容部よりも大きな直径を有する。しかしながら、特に好適には、取付け手段受容部は、更なる座ぐり穴として形成されている。好適には、更なる座ぐり穴は円筒形状の窪みを備える。特に好適には、円筒形状の窪みが当接部を構成する。
【００２９】
嵌合具は接触部を備える。特に接触部は、嵌合具を主軸に対して径方向及び／又は軸方向にセンタリングし、好適には負荷を当接部に又は走行ドラムに、先送りする機能を有する。特に接触部は、円筒形状又は立方体形状又は直方体形状又はプリズム形状である。
【００３０】
接触部は、第１接触領域及び第２接触領域を備える。特に、接触部の外側面が、第１接触領域を構成する。特に、接触部の基底面が、第２接触領域を構成する。しかしながら、特に好適には、外側の円筒外殻面が第１接触領域を構成し、下部の筒基底面が第２接触領域を構成する。特に接触部は、主軸に対して同軸で及び／又は径方向に回転軸Ｒの方向へ延在する。特に好適には、接触部は中空の円筒として形成されている。
【００３１】
嵌合具は、主軸に対して径方向に及び／又は軸方向に、当接部と第２形状係合連結を構成する。特に当接部は、第１当接部及び第２当接部を備える。特に、第１当接部は当接部の内面である。特に、第２当接部は当接部の基底面である。しかしながら、特に好適には、第１当接部は、当接部又は円筒形状の窪みの、円筒外郭面の内面である。好適には、第２当接部は、当接部又は円筒形状の窪みの、平坦な基底面である。
【００３２】
特に第１接触領域は、主軸に対して径方向に、第１当接部と第２形状係合連結を構成する。代替的に又は任意補完的に第２接触領域は、主軸に対して軸方向に、第２当接部と第２形状係合連結を構成する。特に第１接触領域及び／又は第２接触領域は、完全に及び／又は部分的に、主軸に沿って軸方向に、回転軸の方向に、取付け手段受容部内に、好適には当接部内に、挿入可能及び／又は挿入されている。
【００３３】
好適には、第１接触領域及び／又は第２接触領域は、遊びなく、とりわけ形状による係合的及び／又は摩擦結合的及び／又は力結合的に、当接部に配置されている。代替的に、第１接触領域及び／又は第２接触領域は、僅かな遊びを有して、当接部に配置されている。特に遊びは、２ｍｍ未満、好適には０．５ｍｍ未満、とりわけ０．１ｍｍ未満である。
【００３４】
構造的な一実施形態において、嵌合具は下部支承部を備える。特に下部支承部は、主軸に対して径方向に延在する。好適には下部支承部は、特に下面図において、円環を構成する。特に円環の円環面が、下部支承部を構成する。特に接触部は、円環の内側円に隣接する。
【００３５】
下部支承部は、走行面に当接し、走行ドラムと、好適には走行面と、回転軸に対して径方向に形状による係合を構成する。特に下部支承部は、走行ドラムの径方向外側の上に、全面で又は部分的に支承され、径方向に回転軸の方向に形状による係合を構成する。代替的に、下部支承部は走行ドラムから離間されている。特に嵌合具は、回転軸に対して径方向に、第２接触領域と形状による係合を構成する。
【００３６】
更なる構造的な一実施形態において、嵌合具は上部支承部を備える。特に上部支承部は、主軸に対して径方向に延在する。特に両方の固定部は、接触部と反対方向で、上部支承部に隣接する。特に両方の固定部は、上部支承部に対して垂直に配置されている。
【００３７】
上部支承部は、衝撃ストリップの下側に当接し、衝撃ストリップと回転軸に対して径方向に形状による係合を構成する。特に衝撃ストリップは、組立てられた状態で、上部支承部の上に支承される。好適には取付け手段は、衝撃ストリップ及び嵌合具をクランプする。
【００３８】
好適な一発展実施形態において、衝撃ストリップは下側にリセスを備える。特にリセスは、嵌合具を受容し、衝撃ストリップの下側が、好適には全面で、走行ドラム及び／又は嵌合具の上で支承されるようにする機能を有する。特にリセスは、過度の画定を回避する、という利点を有する。この場合衝撃ストリップは、好適には、嵌合具又特に好適には走行ドラムのいずれかの上に当接する。
【００３９】
リセスは、部分的に嵌合具の領域において、衝撃ストリップの長手方向延在部及び／又は横方向延在部に延在する。特にリセスは、分離方法及び／又は成形方法及び／又は原型方法を用いて製造されている。特にリセスは、溝又は穴又は切欠である。特にリセスは、衝撃ストリップの下側で、全幅に亘って延在する。特にリセスは、衝撃ストリップの長手方向延在部において限定されている。リセスは、好適には、嵌合具の少なくとも外径に対応する。
【００４０】
代替的な又は任意補完的な一実施形態において、衝撃ストリップは下側に凹部を備える。特に凹部は、更なる形状係合連結を、回転軸に対して回転方向及び／又は軸方向に構成する機能を有する。
【００４１】
凹部は、衝撃ストリップの長手方向延在部及び／又は横方向延在部に、完全に及び／又は部分的に延在する。特に凹部は、分離方法及び／又は成形方法及び／又は原型方法を用いて製造されている。特に凹部は、溝又は穴またはへこみとして形成されている。特に凹部は、好適には全長に亘って、衝撃ストリップの下側を走る。代替的に凹部は、衝撃ストリップの下側を嵌合部の領域において、長手方向に走る。
【００４２】
凹部は、第１ブリッジ部及び第２ブリッジ部を構成する。ブリッジ部が、嵌合具を両側で包囲する。特に、ブリッジ部は相互に平行して走る。好適にはブリッジ部は、嵌合具が遊びなく両方のブリッジ部の間に、好適には形状による係合的及び／又は力結合的及び／又は摩擦結合的に、配置されている及び／又は配置可能であるように、長手方向延在部及び／又は横方向延在部に、相互に離間している。
【００４３】
代替的に又は任意補完的に、両方のブリッジ部は、衝撃ストリップの全幅に亘って下側を走る。そのため、嵌合具が衝撃ストリップと回転軸に対して軸方向に形状による係合をする。代替的に又は任意補完的に、嵌合具は、追加的に両方の固定部を備える。そのため嵌合具は、特に主軸に対して径方向に形状による係合を構成し、好適には衝撃ストリップを完全に固定する。
【００４４】
好適な一実施形態において、衝撃ストリップは回転軸に対して平行に又は傾斜して、走行ドラム上に取付け可能である。特に衝撃ストリップは、複数の取付け手段ガイド開口部を備える。特に、少なくとも１つの取付け手段ガイド開口部、好適には各取付け手段ガイド開口部が、嵌合具に割り当てられている。特に衝撃ストリップは、少なくとも２つの、好適には４つの、とりわけ６つを超える、取付け手段ガイド開口部を備える。特に各取付け手段ガイド開口部が、嵌合具に割り当てられている。特に嵌合具は、取付け手段受容部内で回転可能である。そのため嵌合具は、衝撃ストリップの走行ドラム上の配置に応じて、衝撃ストリップの方向に整列可能である。
【００４５】
第１組立位置において、衝撃ストリップは回転軸に対して平行に配置されている。特に、衝撃ストリップは第１組立位置において、取付け軸を画定する。取付け軸は好適には回転軸に対して平行に走る。特に衝撃ストリップは、更なる組立位置に配置可能である。衝撃ストリップは、更なる組立位置において、取付け軸に対してねじれて及び／又はオフセットして、配置可能である及び／又は配置されている。好適には、衝撃ストリップは更なる組立位置において、取付け軸と角度をなす。特に角度は、１０度を超える、好適には２５度を超える、とりわけ６５度を超える。代替的に又は任意補完的に角度は、７５度未満、好適には５０度未満、とりわけ２０度未満である。
【００４６】
好適な一発展実施形態において、エラストマー層は、衝撃ストリップと走行ドラムとの間に、全面で又は部分的に配置されている。特にエラストマー層は、公差を補償する、及び／又は走行面における破損を回避する機能を有する。特にエラストマー層は、衝撃ストリップの下側に、配置可能である及び／又は配置されている。特にエラストマー層は、衝撃ストリップの下側全体に亘って配置されている。
【００４７】
代替的にエラストマー層は、特に部分的に、少なくとも２つの相互に離間する嵌合具の間に配置されている。特にエラストマー層は、衝撃ストリップの下側の、１０％を超えて、好適には４０％を超えて、とりわけ７０％を超えて、延在する。代替的に又は任意補完的にエラストマー層は、衝撃ストリップの下側の、９０％未満で、好適には６０％未満で、とりわけ３０％未満で、延在する。
【００４８】
特にエラストマー層は、衝撃ストリップの下側に及び／又は走行ドラム上に、好適には走行ドラムの径方向で外側の上に、自体が接着しつつ配置されている及び／又は配置可能である。特にエラストマー層は、ストリップ要素として形成されている。例えばストリップ要素は、ゴムストリップ、発泡ストリップ、多孔性ゴムストリップ等である。特に衝撃ストリップは、少なくとも１つの、好適には２つ以上の、とりわけ６つ以上の、この種のストリップ要素を備える。
【００４９】
本発明は更に、上述したような走行ドラム装置を、又は請求項のうちの何れか一項に記載の走行ドラム装置を、備えるタイヤ試験スタンドに関する。
【００５０】
本発明の更なる特徴、利点および作用は、本発明の好適な実施形態に関する以下の記載により明らかとなる。
【図面の簡単な説明】
【００５１】
【図１】本発明の実施形態として、組立てられた状態の走行ドラム装置を三次元で示す図である。
【図２】衝撃ストリップを通る主軸に沿った断面図であり、走行ドラム装置の嵌合具を備える図である。
【図３ａ】走行ドラム装置の嵌合具を単一部品として示す平面図である。
【図３ｂ】走行ドラム装置の嵌合具を単一部品として示す正面図である。
【図３ｃ】走行ドラム装置の嵌合具を単一部品として後方から斜めに示す斜視図である。
【図３ｄ】走行ドラム装置の嵌合具を単一部品として前方から斜めに示す斜視図である。
【図４】衝撃ストリップを備える走行ドラム装置の三次元の部分図である。
【図５】衝撃ストリップを代替的に配置した走行ドラム装置を、図４と同様に示す部分図である。
【図６】エラストマー層を備える走行ドラム装置の部分図の分解図である。
【図７】衝撃ストリップを単一部品として三次元で示す図である。
【図８】代替設計の実施形態である衝撃ストリップ及び走行ドラム装置の嵌合具を、図２と同様に示す図である。
【図９】主軸に沿った、衝撃ストリップ及び走行ドラム装置の嵌合具を通る長手方向断面図である。
【発明を実施するための形態】
【００５２】
図において、互いに対応する部分又は同一部分については、各々に同一の符号を付している。
【００５３】
図１は、走行ドラム装置１を三次元で示す。例えば走行ドラム装置１は、例えば高速ユニフォミティ試験スタンドであるタイヤ試験スタンドである。走行ドラム装置１は走行ドラム２を備える。走行ドラム２は、円筒形状を有する。外側円筒外殻面は、走行面３を構成する。例えば、試験される車両タイヤは、走行面３で転がる。車両タイヤは、例えば試験負荷で付勢されるため、車輪接触力がシミュレーションされる。
【００５４】
例えば、走行面３は路面、コランダムコーティング、金属コーティング等を備える。走行ドラム２は回転軸Ｒを画定する。走行ドラム２は、走行ドラム受容部５において、回転軸Ｒに対して回転方向に回転可能に支承されている。例えば、走行ドラム２は駆動装置を介して、駆動又は回転される。
【００５５】
走行面３は、少なくとも１つの衝撃ストリップ４を備える。衝撃ストリップ４は、概略的に示されている。例えば衝撃ストリップ４は、金属製ストリップ、プラスチック製ストリップ等である。衝撃ストリップ４は、図において、回転軸Ｒに対して平行に、走行面３上に例えば力結合的及び／又は摩擦結合的及び／又は形状による係合的に取付けられている。例えば、走行ローラは更なる衝撃ストリップを備える。衝撃ストリップは、例えば回転軸に対して周方向に、均一又は不均一に、相互に離間して配置されている。衝撃ストリップ４は、例えば、試験される車両タイヤにおいて衝撃ストリップ試験を実施する機能を有する。
【００５６】
図２は、主軸Ｈに沿った断面において、衝撃ストリップ４、取付け手段７、嵌合具１１、及び走行ドラム２の走行面３を示す。衝撃ストリップ４は矩形の輪郭を有する。例えば、衝撃ストリップ４が三角形、四角形、円形等の輪郭を有してもよい。衝撃ストリップ４は、衝撃ストリップ上側４ａ及び衝撃ストリップ下側４ｂ、並びに第１衝撃ストリップ側面４ｃ及び第２衝撃ストリップ側面４ｄを備える。４つの側面４ａ、４ｂ、４ｃ、４ｄが、衝撃ストリップ４の輪郭を構成する。
【００５７】
取付け手段７は、図示の実施形態では、シリンダヘッドボルトとして形成されている。例えば取付け手段７が、例えば皿ねじ、六角ねじ等である、任意の随意のねじ手段であってよい。または取付け手段７は、例えば即時締付手段等として形成されてもよい。衝撃ストリップ４は、取付け手段７をガイドする少なくとも１つの取付け手段ガイド開口部６を備える。取付け手段ガイド開口部６は穴である。取付け手段７は、例えば少なくとも０．５ｍｍ及び／又は最大１ｍｍである僅かな遊びを有して、取付け手段ガイド開口部６を通って導かれている。取付け手段ガイド開口部６は、衝撃ストリップ上側４ａの領域において、円筒形状の窪みを備える。取付け手段７又はシリンダヘッドボルトは、取付け手段７が完全に沈み込み、衝撃ストリップ上側４ａが隆起を有さないよう、取付け手段ガイド開口部６内に配置されている。
【００５８】
走行面３は、取付け手段７を受容する少なくとも１つの取付け手段受容部８を備える。取付け手段受容部８は、この場合、走行面３の外側から径方向へ回転軸Ｒの方向に延在する。取付け手段受容部８が、例えば対称軸又は中心軸によって主軸Ｈを画定する。主軸Ｈは、回転軸Ｒと交差し、回転軸Ｒに対して例えば垂直に屹立する。
【００５９】
取付け手段受容部８は、当接部９及び受容部１０を備える。受容部１０は、穴によって構成され、内径ねじを備える。そのため取付け手段７は、取付け手段受容部８又は受容部１０内にねじ留め可能である。当接部９は、図示の実施形態において、座ぐり穴によって、特に円筒形状の窪みによって構成されている。例えば当接部９が、第２の穴によって、特に受容部１０の直径よりも大きな直径を有する第２の穴によって構成されてもよい。
【００６０】
当接部９は、第１当接部９ａ及び第２当接部９ｂを備える。第１当接部９ａは、円筒形状の窪みの円筒外殻面によって構成される。第２当接部９ｂは、円筒形状の窪みの基底面によって構成される。第２当接部９ｂが、平面図で円環を構成する。
【００６１】
衝撃ストリップ４と走行面３との間に、嵌合具１１が配置されている。嵌合具１１は、衝撃ストリップ４を固定する第１固定部１２ａ及び第２固定部１２ｂを備える。固定部１２ａ、１２ｂは、主軸Ｈに対して径方向に及び／又は回転軸Ｒに対して回転方向に、衝撃ストリップ４と形状による係合を構成する。第１固定部１２ａは第１衝撃ストリップ側面４ｃに当接する。第２固定部１２ｂは第２衝撃ストリップ側面４ｄに当接する。そのため衝撃ストリップ４は、形状による係合的に、両方の固定部１２ａ、１２ｂの間に保持されている。
【００６２】
嵌合具１１は、下部支承部１４及び上部支承部１５を備える。両方の支承部１４、１５は、主軸Ｈに対して径方向に延在する。両方の固定部１２ａ、１２ｂは、主軸Ｈに対して平行に、上部支承部１５に隣接する。両方の固定部１２ａ、１２ｂが、衝撃ストリップ上側４ａの方向に延在する。
【００６３】
接触部１３は、主軸Ｈに対して軸方向に、下部支承部１４に隣接する。接触部１３が、第１接触領域１３ａ及び第２接触領域１３ｂを備える。第１接触領域１３ａは、第１当接部９ａに当接し、主軸Ｈに対して径方向に、第１当接部９ａと形状による係合を構成する。第２接触領域１３ｂは、第２当接部９ｂに当接し、主軸Ｈに対して軸方向に、第２当接部９ｂと形状による係合を構成する。
【００６４】
衝撃ストリップ下側４ｂは、嵌合具１１の上部支承部１５上に当接する。そのため、主軸Ｈに対して軸方向に及び／又は回転軸Ｒに対して径方向に、形状による係合が構成されている。下部支承部１４は、図示の実施形態では、走行面３に対して僅かの遊びを有して、径方向に主軸Ｈに対して外側に走る。代替的に、下部支承部１４が走行面３上に全面で又は部分的に支承される。例えば、第２接触領域１３ｂは、第２当接部９ｂに当接する、又は第２当接部９ｂに対して離間して配置されている。
【００６５】
嵌合具１１は嵌合具開口部１６を備える。取付け手段７は、例えば嵌合具１１が組立られた状態で、嵌合具開口部１６を介して嵌合具１１を貫通する。嵌合具開口部１６は穴である。穴は、中央にセンタリングされて嵌合具１１に施されている。取付け手段ガイド開口部６、嵌合具開口部１６、及び取付け手段受容部８は、主軸Ｈに対して相互に同軸に配置されている。取付け手段７は、主軸Ｈに沿って軸方向に、取付け手段受容部８内に、ねじ留めされている及び／又はねじ留め可能である。そのため取付け手段７が、衝撃ストリップ４及び嵌合具１１を、径方向に走行面３の方向へ、力で付勢する。
【００６６】
図３ａ、図３ｂ、及び図３ｃは、嵌合具１１を異なる視点で示す。この場合、図３ａは嵌合具１１を平面図で示す。図３ｂは嵌合具１１を正面図で示す。図３ｃは嵌合具１１を後方から斜めに示す。また図３ｄは嵌合具１１を前方から斜めに示す。
【００６７】
嵌合具１１は、平面図で円環形状を有する。嵌合具１１が、上側又は上部支承部１５上に、両方の固定部１２ａ、１２ｂを備える。例えば、両方の固定部１２ａ、１２ｂは溝によって構成される。溝は、例えば分離方法を用いて、嵌合具１１に施される。例えば、嵌合具１１は円筒としての原型に形成されている。両方の固定部１２ａ、１２ｂは、円筒の切欠によって構成される。両方の固定部１２ａ、１２ｂが、相互に平行して走る。両方の固定部１２ａ、１２ｂの間隔は、衝撃ストリップ４の幅に対応する。例えば、両方の固定部１２ａ、１２ｂは、少なくとも５ｍｍの高さを有する。
【００６８】
接触部１３は、円筒形状を有する。接触部１３が、嵌合具１１の下側に、又は下部支承部１４に、中央にセンタリングされて配置されている。嵌合具開口部１６は、この場合貫通穴であり、接触部１３に対して同心で配置されている。そのため、接触部１３が中空円筒として形成されている。下部支承部１４は、下面図において円環として形成されている。接触部１３の第１接触領域１３ａは、接触部１３又は中空円筒の円筒外殻面によって構成されている。第２接触部１３ｂは、接触部１３又は中空円筒の基底面によって構成されている。嵌合具１１は、例えば一個部品で、又は一部分で形成されている。例えば、嵌合具１１は金属材料及び／又はプラスチック材料及び／又は複合材料からなる。
【００６９】
図４は、走行ドラム装置１の部分を三次元で示す。走行ドラム装置１は、複数の取付け手段受容部８を備える。取付け手段受容部８は、回転軸Ｒに対して回転方向に及び／又は軸方向に、走行面３上に、相互に等間隔で配置されている。例えば取付け手段受容部８は、１つ以上の円において、回転軸Ｒに対して同心に及び／又は同軸に配置されている。
【００７０】
衝撃ストリップ４は、走行面３上で回転軸Ｒに対して平行に配置されている。衝撃ストリップ４は、この組立位置において、取付け軸Ｂを画定する。取付け軸Ｂは、特に、衝撃ストリップ４の長手方向軸又は対称軸によって構成され、回転軸Ｒに対して平行に走る。衝撃ストリップ４が、図示の実施形態において４つの取付け点を有する。各取付け点は、取付け軸Ｂ上にある。取付け点は、例えば、取付け手段受容部８、嵌合具１１、及び取付け手段７によって構成されている。衝撃ストリップ４を取付けるために使用されない走行ドラム２の更なる取付け手段受容部８には、例えばキャップ又はねじ手段である閉鎖手段１７が装備されている。閉鎖手段１７は、例えば汚れから取付け手段受容部８を保護する機能を有する。
【００７１】
図５は、衝撃ストリップ４を代替的に取付けた走行ドラム装置を、図４と同様に示す部分図である。衝撃ストリップ４は、取付け軸Ｂに対してねじれて配置されている。そのため、衝撃ストリップ４及び取付け軸Ｂが、角度αをなす。例えば、角度αは、３０度又は４５度とする。衝撃ストリップ４は、図において、軽く曲げられた形状を有する。この形状は、走行面３に対して回転方向に適合するものであり、そのために衝撃ストリップが、例えば全面で走行面３上に当接する。衝撃ストリップ４の軸方向端部は面取りされている。そのため、走行面３又は走行ドラム２と同一平面での結合が達成される。
【００７２】
図６は、衝撃ストリップ４、取付け手段７、及び嵌合具１１を備える走行ドラム装置１の部分図を分解図で示す。嵌合具１１、取付け手段７、及び衝撃ストリップ４の取付け手段ガイド開口部６は、主軸Ｈに対して同軸に配置されている。エラストマー層１８は、走行面３と衝撃ストリップ４との間に配置されている。エラストマー層１８は、走行面において破損を回避する及び／又は公差を補償する役割を果たす。例えばエラストマー層は、例えば衝撃ストリップ下側４ｂ及び／又は走行面３に、例えば接着によって取付け可能なゴムストリップである。エラストマー層１８が、例えば部分的に又は全面で、衝撃ストリップ４と走行面３との間に配置されている。
【００７３】
図７は、衝撃ストリップ４を三次元で下から示す図である。衝撃ストリップ４は、衝撃ストリップ下側４ｂに、４つのリセス１９を備える。リセス１９は、各１つの嵌合具１１がリセス１９のうちの１つのリセス１９に受容可能であるように、形成されている。リセス１９によって、衝撃ストリップ４は衝撃ストリップ下側４ｂで、走行面３又はエラストマー層１８上に全面で又は部分的に支承される。リセス１９は、相互に等間隔で配置されており、取付け手段ガイド開口部６の領域で衝撃ストリップ４の全幅に亘って延在する。リセス１９は、衝撃ストリップ４の長手方向延在部において限定されている。リセス１９の長さは、長手方向で、少なくとも嵌合具１１の長さ又は直径に対応する。例えば、嵌合具１１及びリセス１９は、衝撃ストリップ４の長手方向延在部で、更なる形状による係合を構成する。
【００７４】
図８は、代替設計の実施例である衝撃ストリップ４及び嵌合具を、図２と同様に示す図である。衝撃ストリップ４は、この場合、衝撃ストリップ下側４ｂに、凹部２０を備える。例えば、凹部２０は溝である。溝は、衝撃ストリップ４の長手方向延在部において、完全に又は部分的に延在する。例えば、凹部２０は矩形又は台形の断面を有する。凹部２０によって、第１ブリッジ部２１ａ及び第２ブリッジ部２１ｂが構成されている。両方のブリッジ部２１ａ、２１ｂは、この場合、相互に平行に離間して、例えば回転軸Ｒに対して軸方向に走る。代替的な実施形態において、嵌合具１１は、平面図において、２つの対向する側で平坦にされている。そのため、第１接触部２２ａ、及び第２接触部２２ｂが構成されている。例えば、嵌合具１１は円筒としての原型に形成されている。両方の更なる接触部２２ａ、２２ｂは、円筒を両側で平坦にすることによって構成される。
【００７５】
両方の更なる接触部２２ａ、２２ｂは、衝撃ストリップ４と共に、特に両方のブリッジ部２１ａ、２１ｂと共に、主軸Ｈに対して径方向に及び／又は回転軸Ｒに対して回転方向に、形状による係合を構成する。第１の更なる接触部２２ａは第１ブリッジ部２１ａに、特に第１ブリッジ部２１ａの内側に当接する。第２接触部２２ｂは第２ブリッジ部２１ｂに、特に第２ブリッジ部２１ｂの内側に当接する。衝撃ストリップ４は、嵌合具１１を両側で包囲する。嵌合具１１が、両方のブリッジ部２１ａ、２１ｂの間に、形状による係合的に保持されている。
【００７６】
既に図２に関して記載したように、第１接触領域１３は、第１当接部９ａに当接し、主軸Ｈに対して径方向に、第１当接部９ａと形状による係合を構成する。第２接触領域１３ｂは、第２当接部９ｂに当接し、主軸Ｈに対して軸方向に、第２当接部９ｂと形状による係合を構成する。代替的に又は任意補完的に、下部支承部１４は走行面３上に全面で又は部分的に支承される。
【００７７】
衝撃ストリップ下側４ｂは、走行面３及び／またはエラストマー層１８上に支承される。そのため、主軸Ｈに対して軸方向に及び／又は回転軸Ｒに対して径方向に、形状による係合が構成されている。代替的に又は任意補完的に、凹部２０の基底面は、上部支承部１５上に支承される。そのため、特に、衝撃ストリップ下側４ｂ及び走行面３及び／又は凹部２０の基底面及び上部支承部１５が、主軸Ｈに対して軸方向に及び／又は回転軸Ｒに対して径方向に、形状による係合を構成する。
【００７８】
図９は、衝撃ストリップ４、取付け手段７、嵌合具１１、及び走行面３又は走行ドラム２を、主軸Ｈに沿った長手方向断面図で示す。リセス１９及び／又は凹部２０は、例えば円盤カッタによって構成される。嵌合具１１は、回転軸Ｒに対して径方向に及び／又は軸方向に、リセス１９及び／又は凹部２０に対して離間して配置されている。
【符号の説明】
【００７９】
１  走行ドラム装置
２  走行ドラム
３  走行面
４  衝撃ストリップ
４ａ  衝撃ストリップ上側
４ｂ  衝撃ストリップ下側
４ｃ  第１衝撃ストリップ側面
４ｂ  第２衝撃ストリップ側面
５  走行ドラム受容部
６  取付け手段ガイド開口部
７  取付け手段
８  取付け手段受容部
９  当接部
９ａ  第１当接部
９ｂ  第２当接部
１０  受容部
１１  嵌合具
１２ａ  第１固定部
１２ｂ  第２固定部
１３  接触部
１３ａ  第１接触領域
１３ｂ  第２接触領域
１４  下部支承部
１５  上部支承部
１６  嵌合具開口部
１７  閉鎖手段
１８  エラストマー層
１９  リセス
２０  凹部
２１ａ  第１ブリッジ部
２１ｂ  第２ブリッジ部
２２ａ  第１の更なる接触領域
２２ｂ  第２の更なる接触領域
Ｒ  回転軸
Ｈ  主軸
Ｂ  取付け軸
【図１】
2019525143.tif 000003
【図２】
2019525143.tif 000004
【図３ａ】
2019525143.tif 000005
【図３ｂ】
2019525143.tif 000006
【図３ｃ】
2019525143.tif 000007
【図３ｄ】
2019525143.tif 000008
【図４】
2019525143.tif 000009
【図５】
2019525143.tif 000010
【図６】
2019525143.tif 000011
【図７】
2019525143.tif 000012
【図８】
2019525143.tif 000013
【図９】
2019525143.tif 000014
【手続補正書】
【提出日】平成30年4月17日(2018.4.17)
【手続補正１】
【補正対象書類名】特許請求の範囲
【補正対象項目名】全文
【補正方法】変更
【補正の内容】
【特許請求の範囲】
【請求項１】
タイヤ試験スタンド用の走行ドラム装置（１）であって、走行ドラム（２）を備え、前記走行ドラム（２）が回転軸（Ｒ）を画定し、前記走行ドラム（２）が少なくとも１つの取付け手段受容部（８）を備え、前記取付け手段受容部（８）が主軸（Ｈ）を画定し、前記走行ドラム装置（１）が少なくとも１つの衝撃ストリップ（４）を備え、前記衝撃ストリップ（４）が、回転軸（Ｒ）に対して、走行ドラムの径方向外側に配置され、前記走行ドラム装置（１）が少なくとも１つの取付け手段（７）を備え、前記取付け手段（７）が前記衝撃ストリップ（４）を前記走行ドラム（２）上に取付け、前記取付け手段（７）が前記取付け手段受容部（８）に受容されている走行ドラム装置（１）において、前記走行ドラム装置（１）が少なくとも１つの嵌合具（１１）を備え、前記嵌合具（１１）が前記走行ドラム（２）と前記衝撃ストリップ（４）との間に配置され、前記嵌合具（１１）が、前記走行ドラム（２）及び前記衝撃ストリップ（４）と、前記回転軸（Ｒ）に対して回転方向に形状による係合を構成し、前記衝撃ストリップ（４）の組立の際、第１組立ステップにおいて、前記嵌合具（１１）を前記取付け手段受容部（８）内に挿入可能であり、第２組立ステップにおいて、前記衝撃ストリップ（４）を前記嵌合具（１１）上に載せることが可能であり、第３組立ステップにおいて、続いて前記衝撃ストリップ（４）及び前記嵌合具（８）が、径方向に回転軸（Ｒ）の方向に、前記取付け手段（７）を用いて前記走行ドラム（２）とクランプされるように、前記取付け手段（７）を導入可能であることを特徴とする走行ドラム装置（１）。
【請求項２】
請求項１に記載の走行ドラム装置（１）であって、前記嵌合具（１１）が、前記衝撃ストリップ（４）と第１形状係合連結を、また前記走行ドラム（２）と第２形状係合連結を構成し、前記第１形状係合連結が、負荷を回転方向で受容し、前記第２形状係合連結を介して前記負荷を前記走行ドラム（２）に放出することを特徴とする走行ドラム装置（１）。
【請求項３】
請求項２に記載の走行ドラム装置（１）であって、前記嵌合具（１１）が第１固定部（１２ａ）及び第２固定部（１２ｂ）を備え、両方の固定部（１２ａ、１２ｂ）が、前記衝撃ストリップ（４）を両側で包囲し、第１形状係合連結を主軸（Ｈ）に対して径方向に構成し、前記両方の固定部（１２ａ、１２ｂ）が、前記衝撃ストリップ（４）に作用する力を受容することを特徴とする走行ドラム装置（１）。
【請求項４】
請求項３に記載の走行ドラム装置（１）であって、前記第１固定部（１２ａ）が前記衝撃ストリップ（４）の第１側面（４ｃ）に形状による係合的に当接し、及び／又は第２固定部（１２ｂ）が前記衝撃ストリップ（４）の第２側面（４ｄ）に形状による係合的に当接することを特徴とする走行ドラム装置（１）。
【請求項５】
請求項２〜４の何れか一項又は複数項に記載の走行ドラム装置（１）であって、前記取付け手段受容部（８）が当接部（９）を備え、前記嵌合具（１１）が接触部（１３）を備え、前記接触部（１３）が、主軸（Ｈ）に対して径方向に及び／又は軸方向に、前記当接部（９）と第２形状係合連結を構成することを特徴とする走行ドラム装置（１）。
【請求項６】
請求項１〜５の何れか一項に記載の走行ドラム装置（１）であって、前記嵌合具（１１）が下部支承部（１４）を備え、前記下部支承部（１４）が、前記走行ドラム（２）に当接し、前記走行ドラム（２）と、回転軸（Ｒ）に対して径方向に形状による係合を構成することを特徴とする走行ドラム装置（１）。
【請求項７】
請求項１〜６の何れか一項に記載の走行ドラム装置（１）であって、前記嵌合具（１１）が上部支承部（１５）を備え、前記上部支承部（１５）が、前記衝撃ストリップ（４）の下側に当接し、前記衝撃ストリップ（４）と、回転軸（Ｒ）に対して径方向に形状による係合を構成することを特徴とする走行ドラム装置（１）。
【請求項８】
請求項１〜７の何れか一項に記載の走行ドラム装置（１）であって、前記衝撃ストリップ（４）が下側に、前記嵌合具（１１）を受容するリセス（１９）を備え、前記リセス（１９）が部分的に前記嵌合具（１１）の領域において、前記衝撃ストリップ（４）の長手方向及び／又は横方向に延在することを特徴とする走行ドラム装置（１）。
【請求項９】
請求項１〜８の何れか一項に記載の走行ドラム装置（１）であって、前記衝撃ストリップ（４）が下側に凹部（２０）を備え、前記凹部（２０）が前記衝撃ストリップ（４）の長手方向延在部及び／又は横方向延在部に、完全に及び／又は部分的に延在し、前記凹部（２０）が少なくとも、１つの第１ブリッジ部（２１ａ）及び１つの第２ブリッジ部（２１ｂ）を構成し、両方のブリッジ部（２１ａ、２１ｂ）が前記嵌合具（１１）を両側で包囲することを特徴とする走行ドラム装置（１）。
【請求項１０】
請求項１〜９の何れか一項に記載の走行ドラム装置（１）であって、前記衝撃ストリップ（４）が回転軸（Ｒ）に対して平行に又は傾斜して、前記走行ドラム（２）上に取付け可能であることを特徴とする走行ドラム装置（１）。
【請求項１１】
請求項１〜１０の何れか一項に記載の走行ドラム装置（１）であって、エラストマー層（１８）は、前記衝撃ストリップ（４）と前記走行ドラム（２）との間に、全面で又は部分的に配置されていることを特徴とする走行ドラム装置（１）。
【請求項１２】
請求項１〜１１の何れか一項に記載の走行ドラム装置（１）を備えるタイヤ試験スタンド。
【手続補正２】
【補正対象書類名】明細書
【補正対象項目名】全文
【補正方法】変更
【補正の内容】
【発明の詳細な説明】
【技術分野】
【０００１】
本発明は、請求項１の上位概念に記載の特徴を有する、タイヤ試験スタンド用の走行ドラム装置、及び請求項１２に記載の特徴を有する、走行ドラム装置を備えるタイヤ試験スタンドに関する。
【背景技術】
【０００２】
衝撃ストリップをタイヤ試験スタンドの走行ローラ上に取り付けるために、衝撃ストリップは、簡単なねじ接続によって走行ローラ上に組立てられる。この場合、発生する負荷は、衝撃ストリップとドラムとの間の摩擦によって周方向に伝達されなければならない。取付けねじは、その際、極めて高い曲げ負荷を受ける。従って、このような取付けコンセプトにおいては、比較的小さな負荷のみが周方向に許容される。そのため、衝撃ストリップを取付ける設計によって、許容可能な車輪接触力、衝撃ストリップの形状及び高さ、タイヤの横転速度及び断面形状が制限される。
【０００３】
ドイツ国登録特許第５８０  ８９５号から、脱穀機ドラムにおける、断面が台形の脚部を備える衝撃ストリップ用の、圧力プレートを備える下部レールが既知である。この場合衝撃ストリップは、ねじ接続によって脱穀機ドラムと接続された２つの要素、つまりレール及び圧力プレートと、形状による係合的に接続されている。この２つの要素は、衝撃ストリップから独立している。衝撃ストリップを脱穀機ドラムに取付ける更なる取付け手段は、装備されていない。
【０００４】
おそらく最も近似する従来技術を構成するドイツ国実用新案第２９９  ２３  ７２８号は、自動車試験スタンド又はタイヤ試験スタンド用の走行ドラムを開示する。走行面のセグメントは取り外し可能である。また、ネガティブな径方向の盛り上がりを有する障害物を使用することができる。円筒形走行ドラムの外殻部には、平面加工された支承プレートが溶接されている。支承プレート上には、様々な障害物及び取り外し可能な元来の走行面部をねじ留めすることができる。個々の障害物の場合、最も簡単な解決策としては、衝撃ストリップをねじ留めすることである。なぜなら、試験作動において最も素早く組立てることができるのが、衝撃ストリップであるためである。
【先行技術文献】
【特許文献】
【０００５】
【特許文献１】ドイツ国登録特許第５８０  ８９５号
【特許文献２】ドイツ国実用新案第２９９  ２３  ７２８号
【発明の概要】
【発明が解決しようとする課題】
【０００６】
本発明の課題は、衝撃ストリップに、より高い負荷をかけることが許容される、タイヤ試験スタンド用の走行ドラム装置を提供することである。
【課題を解決するための手段】
【０００７】
この課題は、請求項１に記載の特徴を有する、タイヤ試験スタンド用の走行ドラム装置、及び請求項１２に記載の特徴を有する、走行ドラム装置を備える試験スタンドによって解決される。本発明の好適又は有利な実施形態は、従属請求項、以下の記載、及び／又は添付の図面から明らかとなる。
【０００８】
本発明により、タイヤ試験スタンド用の走行ドラム装置を提案する。走行ドラム装置は、特に、好適には異なる速度に対して、車両タイヤにおいて衝撃ストリップ試験をシミュレーションする機能を有する。特に車両タイヤは、乗用車用タイヤ、又は自動二輪車用タイヤ、又はトラック用タイヤである。
【０００９】
走行ドラム装置は走行ドラムを備える。走行ドラムは、特に路面をシミュレーションする機能を有する。特に、試験負荷が車両タイヤにかけられる。そのため、例えば車輪接触力がシミュレーションされる。好適には、走行ドラムは円筒形状に形成されている。円筒外殻面は走行面を構成する。特に、走行ドラムと車両タイヤは、相対的に相互に移動可能である。そのため、好適には車両タイヤが、特に車両タイヤの周面が、走行ドラムと、特に走行面と、接触する及び／又は接触可能である。特に、走行ドラムは路面又はスチールコーティングを備える。好適には、走行ドラムは駆動装置によって駆動される。
【００１０】
走行ドラムは回転軸を画定する。特に、走行ドラムは回転軸に対して同軸に支承されている。好適には、走行ドラムは駆動装置とギヤによる技術的に接続されている。
【００１１】
走行ドラムは、取付け手段を受容する少なくとも１つの取付け手段受容部を備える。特に、取付け手段受容部は穴として又は開口部等として形成されている。好適には、取付け手段受容部が走行ドラムの走行面から、径方向に回転軸の方向へ延在する。好適には、取付け手段受容部は、内径ねじ、好適にはメートルねじを備える。特に、走行ドラムは複数の取付け手段受容部を備える。特に、取付け手段受容部は、回転軸に対して回転方向に及び／又は軸方向に、相互に等間隔で配置されている。取付け手段受容部は主軸を画定する。特に、主軸は対称軸、又は中心線若しくは中心軸である。特に、主軸は回転軸に対して径方向に延在する。
【００１２】
走行ドラム装置は、少なくとも１つの衝撃ストリップを備える。特に、衝撃ストリップは金属製ストリップ、プラスチック製ストリップ、又は複合材料製ストリップである。好適には衝撃ストリップが、直角の若しくは鋭角の、又は四角形の若しくは円形の輪郭を有する。特に衝撃ストリップは、５ｍｍを超える、好適には２０ｍｍを超える、とりわけ８０ｍｍを超える、高さを有する。代替的に又は任意補完的に衝撃ストリップは、１００ｍｍ未満の、好適には６０ｍｍ未満の、とりわけ１０ｍｍ未満の、高さを有する。
【００１３】
衝撃ストリップは、回転軸に対して、走行ドラムの径方向外側に配置されている。特に、衝撃ストリップは走行ドラムの走行面に配置されている。特に走行ドラム装置は、２つを超える、とりわけ４つを超える、衝撃ストリップを備える。好適には衝撃ストリップが、回転方向に相互に等間隔で、配置されている及び／又は配置可能である。
【００１４】
走行ドラム装置は、衝撃ストリップを走行ドラム上に取付ける少なくとも１つの取付け手段を備える。特に取付け手段は、衝撃ストリップを走行ドラムの径方向外側の上に固定し、好適には、衝撃ストリップを持ち上がることに抗して確実に固定する機能を有する。特に取付け手段は、完全に又は部分的に、力結合的及び／又は形状による係合的及び／又は摩擦結合的に、走行ドラムと接続されている。特に取付け手段が、ねじ手段及び／又は締付け手段及び／又はクランプ手段として形成されている。取付け手段は、取付け手段受容部に受容されている。特に取付け手段が、取付け手段受容部内にねじ留めされ、及び／又は締付けられ、及び／挿入され、及び／又はクランプされている。
【００１５】
特に、取付け手段又はねじ手段は、六角ねじ又は平頭ねじ又は皿ねじである。しかしながら、特に好適には、取付け手段が円筒ねじである。特に取付け手段は、外径ねじを、好適にはメートルねじを備える。特に取付け手段は、取付け手段受容部の内径ねじと係合させることが可能である。
【００１６】
本発明の範囲において、走行ドラム装置は、少なくとも１つの嵌合具を備える。特に、嵌合具は、取付け手段に作用する負荷を低減する機能を有する。特に、嵌合具は、平面図において、円形又は正方形又は長方形又は楕円形の形状を有する。特に、嵌合具は、プラスチック又は金属から、好適には合金又は複合材料からなる。嵌合具は、特に、取付け手段とは別個に形成されている。
【００１７】
嵌合具は、好適には、走行ドラムと衝撃ストリップとの間に配置されている。特に、嵌合具は、主軸に対して同軸及び／又は同心に配置されている。好適には、嵌合具は、取付け手段受容部内に導入することが可能である、及び／又は導入されている。特に、嵌合具は嵌合具開口部を備える。好適には、嵌合具開口部は、取付け手段を受容する及び／又はガイドするよう形成されている。
【００１８】
嵌合具は、一方では走行ドラムと、また他方では衝撃ストリップと、回転軸に対して回転方向に形状による係合を構成する。衝撃ストリップの組立の際、特に第１組立ステップにおいて、嵌合具を、走行ドラム上に、好適には取付け手段受容部内に挿入する。走行ドラムの長さ及び／又は衝撃ストリップの長さに応じて、好適には、更なる嵌合具を、更なる取付け手段受容部内に挿入する。
【００１９】
第２組立ステップにおいて、特に、好適には嵌合具が衝撃ストリップ及び走行ドラムと、回転軸に対して回転方向に及び／又は主軸に対して径方向に、形状による係合を構成するように、衝撃ストリップを嵌合具上に載せる。
【００２０】
第３組立ステップにおいて、特に、好適には続いて衝撃ストリップ及び嵌合具が、径方向に回転軸の方向に、取付け手段を用いて走行ドラムとクランプされるように、取付け手段を取付け手段受容部内に導入する。
【００２１】
特に、衝撃ストリップは、取付け手段をガイドする少なくとも１つの取付け手段ガイド開口部を備える。特に、取付け手段ガイド開口部は穴又は開口部である。好適には、取付け手段ガイド開口部は、主軸に対して同軸に、配置可能である及び／又は配置されている。特に、取付け手段は、主軸に沿って軸方向に、取付け手段ガイド開口部、嵌合具開口部、及び取付け手段受容部を通って、導入可能である及び／又は導入されている。好適には、取付け手段ガイド開口部は、座ぐり穴として形成されている。そのため、特にねじ手段は、好適にはねじ手段頭部は、衝撃ストリップ内に沈み込むことが可能である。特に、座ぐり穴は、円錐形状又は円筒形状の皿穴を備える。
【００２２】
本発明の利点は、特に、嵌合具が、衝撃ストリップ及び走行ドラムとの形状による係合によって、負荷又は少なくとも部分的な負荷を回転方向で受容するために、取付け手段の曲げ応力を著しく低減できることにある。これによって同様に、衝撃ストリップ試験の際に、より高い負荷が可能である。さらに衝撃ストリップは、特に高い負荷を受けるねじ留め位置において、追加の刻みを備えない。これによって、比較的に、極めて大きな負荷を周方向に受容することができる。更なる利点は、特に機械加工の労力が僅かであるために、衝撃ストリップを費用対効果に優れて製造できる点にある。特に有利には、衝撃ストリップの各幅用に、１セットのみの嵌合具を製造すればよい。その際、高さの異なる衝撃ストリップを取付けるのみでなく、衝撃ストリップをドラムに対して随意の角度で取付けられる。衝撃ストリップ毎に２つ以上の嵌合具を使用すると、斜めの取付け及びゼロ度でない角度での組立が、問題なく可能である。
【００２３】
本発明の好適な一実施形態において、嵌合具は、衝撃ストリップと第１形状係合連結を、また走行ドラムと第２形状係合連結を構成する。特に、第１形状係合連結及び／又は第２形状係合連結は、回転軸に対して回転方向及び／又は径方向の形状による係合である。代替的に又は任意補完的に、第１形状係合連結及び／又は第２形状係合連結は、主軸に対して径方向及び／又は軸方向の形状による係合である。
【００２４】
第１形状係合連結は、好適には、試験プロセスの間に衝撃ストリップに作用する負荷を回転方向で受容し、第２形状係合連結を介して負荷を走行ドラムに放出する。特に、負荷は回転方向に作用する力、好適には衝撃ストリップに作用する接線力である。
【００２５】
更なる好適な本発明の一実施形態において、嵌合具は第１固定部及び第２固定部を備える。両方の固定部が、特に、衝撃ストリップを固定する機能を有する。特に、嵌合具は溝を備える。溝は、好適には衝撃ストリップ用のガイドの役割を果たす。特に、第１固定部及び第２固定部は溝によって構成されている。特に、両方の固定部はブリッジ又は側面として形成されている。好適には、両方の固定部は相互に平行して走る。
【００２６】
特に両方の固定部は、主軸に対して軸方向に、衝撃ストリップの方向に、好適には径方向に回転軸から離れて、延在する。特に両方の固定部は、少なくとも１ｍｍの、好適には５ｍｍを超える、とりわけ１０ｍｍを超える、高さを有する。代替的に又は任意補完的に両方の固定部は、特に、２０ｍｍ未満の、好適には８ｍｍ未満の、とりわけ３ｍｍ未満の、高さを有する。
【００２７】
両方の固定部は、衝撃ストリップを両側で包囲し、第１形状係合連結を主軸に対して径方向に構成する。特に、両側の固定部は、衝撃ストリップを保持しつつ包囲する。そのため、好適には、衝撃ストリップに作用する力、例えば接線力が、両方の固定部のうちの少なくとも１つの固定部に伝達される。特に両方の固定部は、取付け手段がない場合に、衝撃ストリップが溝内部のみで移動可能である及び／又は溝内部で強制的にガイドされるよう、衝撃ストリップを包囲する。特に、両方の側面は相互に平行して走り、好適には衝撃ストリップの幅を画定する。
【００２８】
好適な一実施形態において、第１固定部は衝撃ストリップの第１側面に形状による係合的に当接し、及び／又は第２固定部は衝撃ストリップの第２側面に形状による係合的に当接する。特に、両方の固定部は、衝撃ストリップの幅の間隔に対応するよう、相互に離間している。好適には衝撃ストリップが、両方の固定部の間に、とりわけ形状による係合的及び／又は摩擦結合的及び／又は力結合的に遊びなく配置されている、又は僅かな遊びを有して配置されている。特に遊びは、２ｍｍ未満、好適には０．５ｍｍ未満、とりわけ０．１ｍｍ未満である。特に衝撃ストリップは、１０ｍｍを超える、好適には３０ｍｍを超える、とりわけ１００ｍｍを超える、幅を有する。代替的に又は任意補完的に衝撃ストリップは、特に、２００ｍｍ未満の、好適には５０ｍｍ未満の、とりわけ１５ｍｍ未満の、幅を有する。
【００２９】
取付け手段受容部は、当接部を備える。特に取付け手段受容部は、嵌合具を受容する当接部、及び取付け手段を受容する受容部を備える。特に当接部は、プリズム形状又は直方体形状又は円筒形状である。特に当接部は、接触部に対する輪郭的なパートナーを構成する。好適には当接部は、受容部よりも大きな直径を有する。しかしながら、特に好適には、取付け手段受容部は、更なる座ぐり穴として形成されている。好適には、更なる座ぐり穴は円筒形状の窪みを備える。特に好適には、円筒形状の窪みが当接部を構成する。
【００３０】
嵌合具は接触部を備える。特に接触部は、嵌合具を主軸に対して径方向及び／又は軸方向にセンタリングし、好適には負荷を当接部に又は走行ドラムに、先送りする機能を有する。特に接触部は、円筒形状又は立方体形状又は直方体形状又はプリズム形状である。
【００３１】
接触部は、第１接触領域及び第２接触領域を備える。特に、接触部の外側面が、第１接触領域を構成する。特に、接触部の基底面が、第２接触領域を構成する。しかしながら、特に好適には、外側の円筒外殻面が第１接触領域を構成し、下部の筒基底面が第２接触領域を構成する。特に接触部は、主軸に対して同軸で及び／又は径方向に回転軸Ｒの方向へ延在する。特に好適には、接触部は中空の円筒として形成されている。
【００３２】
嵌合具は、主軸に対して径方向に及び／又は軸方向に、当接部と第２形状係合連結を構成する。特に当接部は、第１当接部及び第２当接部を備える。特に、第１当接部は当接部の内面である。特に、第２当接部は当接部の基底面である。しかしながら、特に好適には、第１当接部は、当接部又は円筒形状の窪みの、円筒外郭面の内面である。好適には、第２当接部は、当接部又は円筒形状の窪みの、平坦な基底面である。
【００３３】
特に第１接触領域は、主軸に対して径方向に、第１当接部と第２形状係合連結を構成する。代替的に又は任意補完的に第２接触領域は、主軸に対して軸方向に、第２当接部と第２形状係合連結を構成する。特に第１接触領域及び／又は第２接触領域は、完全に及び／又は部分的に、主軸に沿って軸方向に、回転軸の方向に、取付け手段受容部内に、好適には当接部内に、挿入可能及び／又は挿入されている。
【００３４】
好適には、第１接触領域及び／又は第２接触領域は、遊びなく、とりわけ形状による係合的及び／又は摩擦結合的及び／又は力結合的に、当接部に配置されている。代替的に、第１接触領域及び／又は第２接触領域は、僅かな遊びを有して、当接部に配置されている。特に遊びは、２ｍｍ未満、好適には０．５ｍｍ未満、とりわけ０．１ｍｍ未満である。
【００３５】
構造的な一実施形態において、嵌合具は下部支承部を備える。特に下部支承部は、主軸に対して径方向に延在する。好適には下部支承部は、特に下面図において、円環を構成する。特に円環の円環面が、下部支承部を構成する。特に接触部は、円環の内側円に隣接する。
【００３６】
下部支承部は、走行面に当接し、走行ドラムと、好適には走行面と、回転軸に対して径方向に形状による係合を構成する。特に下部支承部は、走行ドラムの径方向外側の上に、全面で又は部分的に支承され、径方向に回転軸の方向に形状による係合を構成する。代替的に、下部支承部は走行ドラムから離間されている。特に嵌合具は、回転軸に対して径方向に、第２接触領域と形状による係合を構成する。
【００３７】
更なる構造的な一実施形態において、嵌合具は上部支承部を備える。特に上部支承部は、主軸に対して径方向に延在する。特に両方の固定部は、接触部と反対方向で、上部支承部に隣接する。特に両方の固定部は、上部支承部に対して垂直に配置されている。
【００３８】
上部支承部は、衝撃ストリップの下側に当接し、衝撃ストリップと回転軸に対して径方向に形状による係合を構成する。特に衝撃ストリップは、組立てられた状態で、上部支承部の上に支承される。好適には取付け手段は、衝撃ストリップ及び嵌合具をクランプする。
【００３９】
好適な一発展実施形態において、衝撃ストリップは下側にリセスを備える。特にリセスは、嵌合具を受容し、衝撃ストリップの下側が、好適には全面で、走行ドラム及び／又は嵌合具の上で支承されるようにする機能を有する。特にリセスは、過度の画定を回避する、という利点を有する。この場合衝撃ストリップは、好適には、嵌合具又特に好適には走行ドラムのいずれかの上に当接する。
【００４０】
リセスは、部分的に嵌合具の領域において、衝撃ストリップの長手方向延在部及び／又は横方向延在部に延在する。特にリセスは、分離方法及び／又は成形方法及び／又は原型方法を用いて製造されている。特にリセスは、溝又は穴又は切欠である。特にリセスは、衝撃ストリップの下側で、全幅に亘って延在する。特にリセスは、衝撃ストリップの長手方向延在部において限定されている。リセスは、好適には、嵌合具の少なくとも外径に対応する。
【００４１】
代替的な又は任意補完的な一実施形態において、衝撃ストリップは下側に凹部を備える。特に凹部は、更なる形状係合連結を、回転軸に対して回転方向及び／又は軸方向に構成する機能を有する。
【００４２】
凹部は、衝撃ストリップの長手方向延在部及び／又は横方向延在部に、完全に及び／又は部分的に延在する。特に凹部は、分離方法及び／又は成形方法及び／又は原型方法を用いて製造されている。特に凹部は、溝又は穴またはへこみとして形成されている。特に凹部は、好適には全長に亘って、衝撃ストリップの下側を走る。代替的に凹部は、衝撃ストリップの下側を嵌合部の領域において、長手方向に走る。
【００４３】
凹部は、第１ブリッジ部及び第２ブリッジ部を構成する。ブリッジ部が、嵌合具を両側で包囲する。特に、ブリッジ部は相互に平行して走る。好適にはブリッジ部は、嵌合具が遊びなく両方のブリッジ部の間に、好適には形状による係合的及び／又は力結合的及び／又は摩擦結合的に、配置されている及び／又は配置可能であるように、長手方向延在部及び／又は横方向延在部に、相互に離間している。
【００４４】
代替的に又は任意補完的に、両方のブリッジ部は、衝撃ストリップの全幅に亘って下側を走る。そのため、嵌合具が衝撃ストリップと回転軸に対して軸方向に形状による係合をする。代替的に又は任意補完的に、嵌合具は、追加的に両方の固定部を備える。そのため嵌合具は、特に主軸に対して径方向に形状による係合を構成し、好適には衝撃ストリップを完全に固定する。
【００４５】
好適な一実施形態において、衝撃ストリップは回転軸に対して平行に又は傾斜して、走行ドラム上に取付け可能である。特に衝撃ストリップは、複数の取付け手段ガイド開口部を備える。特に、少なくとも１つの取付け手段ガイド開口部、好適には各取付け手段ガイド開口部が、嵌合具に割り当てられている。特に衝撃ストリップは、少なくとも２つの、好適には４つの、とりわけ６つを超える、取付け手段ガイド開口部を備える。特に各取付け手段ガイド開口部が、嵌合具に割り当てられている。特に嵌合具は、取付け手段受容部内で回転可能である。そのため嵌合具は、衝撃ストリップの走行ドラム上の配置に応じて、衝撃ストリップの方向に整列可能である。
【００４６】
第１組立位置において、衝撃ストリップは回転軸に対して平行に配置されている。特に、衝撃ストリップは第１組立位置において、取付け軸を画定する。取付け軸は好適には回転軸に対して平行に走る。特に衝撃ストリップは、更なる組立位置に配置可能である。衝撃ストリップは、更なる組立位置において、取付け軸に対してねじれて及び／又はオフセットして、配置可能である及び／又は配置されている。好適には、衝撃ストリップは更なる組立位置において、取付け軸と角度をなす。特に角度は、１０度を超える、好適には２５度を超える、とりわけ６５度を超える。代替的に又は任意補完的に角度は、７５度未満、好適には５０度未満、とりわけ２０度未満である。
【００４７】
好適な一発展実施形態において、エラストマー層は、衝撃ストリップと走行ドラムとの間に、全面で又は部分的に配置されている。特にエラストマー層は、公差を補償する、及び／又は走行面における破損を回避する機能を有する。特にエラストマー層は、衝撃ストリップの下側に、配置可能である及び／又は配置されている。特にエラストマー層は、衝撃ストリップの下側全体に亘って配置されている。
【００４８】
代替的にエラストマー層は、特に部分的に、少なくとも２つの相互に離間する嵌合具の間に配置されている。特にエラストマー層は、衝撃ストリップの下側の、１０％を超えて、好適には４０％を超えて、とりわけ７０％を超えて、延在する。代替的に又は任意補完的にエラストマー層は、衝撃ストリップの下側の、９０％未満で、好適には６０％未満で、とりわけ３０％未満で、延在する。
【００４９】
特にエラストマー層は、衝撃ストリップの下側に及び／又は走行ドラム上に、好適には走行ドラムの径方向で外側の上に、自体が接着しつつ配置されている及び／又は配置可能である。特にエラストマー層は、ストリップ要素として形成されている。例えばストリップ要素は、ゴムストリップ、発泡ストリップ、多孔性ゴムストリップ等である。特に衝撃ストリップは、少なくとも１つの、好適には２つ以上の、とりわけ６つ以上の、この種のストリップ要素を備える。
【００５０】
本発明は更に、上述したような走行ドラム装置を、又は請求項のうちの何れか一項に記載の走行ドラム装置を、備えるタイヤ試験スタンドに関する。
【００５１】
本発明の更なる特徴、利点および作用は、本発明の好適な実施形態に関する以下の記載により明らかとなる。
【図面の簡単な説明】
【００５２】
【図１】本発明の実施形態として、組立てられた状態の走行ドラム装置を三次元で示す図である。
【図２】衝撃ストリップを通る主軸に沿った断面図であり、走行ドラム装置の嵌合具を備える図である。
【図３ａ】走行ドラム装置の嵌合具を単一部品として示す平面図である。
【図３ｂ】走行ドラム装置の嵌合具を単一部品として示す正面図である。
【図３ｃ】走行ドラム装置の嵌合具を単一部品として後方から斜めに示す斜視図である。
【図３ｄ】走行ドラム装置の嵌合具を単一部品として前方から斜めに示す斜視図である。
【図４】衝撃ストリップを備える走行ドラム装置の三次元の部分図である。
【図５】衝撃ストリップを代替的に配置した走行ドラム装置を、図４と同様に示す部分図である。
【図６】エラストマー層を備える走行ドラム装置の部分図の分解図である。
【図７】衝撃ストリップを単一部品として三次元で示す図である。
【図８】代替設計の実施形態である衝撃ストリップ及び走行ドラム装置の嵌合具を、図２と同様に示す図である。
【図９】主軸に沿った、衝撃ストリップ及び走行ドラム装置の嵌合具を通る長手方向断面図である。
【発明を実施するための形態】
【００５３】
図において、互いに対応する部分又は同一部分については、各々に同一の符号を付している。
【００５４】
図１は、走行ドラム装置１を三次元で示す。例えば走行ドラム装置１は、例えば高速ユニフォミティ試験スタンドであるタイヤ試験スタンドである。走行ドラム装置１は走行ドラム２を備える。走行ドラム２は、円筒形状を有する。外側円筒外殻面は、走行面３を構成する。例えば、試験される車両タイヤは、走行面３で転がる。車両タイヤは、例えば試験負荷で付勢されるため、車輪接触力がシミュレーションされる。
【００５５】
例えば、走行面３は路面、コランダムコーティング、金属コーティング等を備える。走行ドラム２は回転軸Ｒを画定する。走行ドラム２は、走行ドラム受容部５において、回転軸Ｒに対して回転方向に回転可能に支承されている。例えば、走行ドラム２は駆動装置を介して、駆動又は回転される。
【００５６】
走行面３は、少なくとも１つの衝撃ストリップ４を備える。衝撃ストリップ４は、概略的に示されている。例えば衝撃ストリップ４は、金属製ストリップ、プラスチック製ストリップ等である。衝撃ストリップ４は、図において、回転軸Ｒに対して平行に、走行面３上に例えば力結合的及び／又は摩擦結合的及び／又は形状による係合的に取付けられている。例えば、走行ローラは更なる衝撃ストリップを備える。衝撃ストリップは、例えば回転軸に対して周方向に、均一又は不均一に、相互に離間して配置されている。衝撃ストリップ４は、例えば、試験される車両タイヤにおいて衝撃ストリップ試験を実施する機能を有する。
【００５７】
図２は、主軸Ｈに沿った断面において、衝撃ストリップ４、取付け手段７、嵌合具１１、及び走行ドラム２の走行面３を示す。衝撃ストリップ４は矩形の輪郭を有する。例えば、衝撃ストリップ４が三角形、四角形、円形等の輪郭を有してもよい。衝撃ストリップ４は、衝撃ストリップ上側４ａ及び衝撃ストリップ下側４ｂ、並びに第１衝撃ストリップ側面４ｃ及び第２衝撃ストリップ側面４ｄを備える。４つの側面４ａ、４ｂ、４ｃ、４ｄが、衝撃ストリップ４の輪郭を構成する。
【００５８】
取付け手段７は、図示の実施形態では、シリンダヘッドボルトとして形成されている。例えば取付け手段７が、例えば皿ねじ、六角ねじ等である、任意の随意のねじ手段であってよい。または取付け手段７は、例えば即時締付手段等として形成されてもよい。衝撃ストリップ４は、取付け手段７をガイドする少なくとも１つの取付け手段ガイド開口部６を備える。取付け手段ガイド開口部６は穴である。取付け手段７は、例えば少なくとも０．５ｍｍ及び／又は最大１ｍｍである僅かな遊びを有して、取付け手段ガイド開口部６を通って導かれている。取付け手段ガイド開口部６は、衝撃ストリップ上側４ａの領域において、円筒形状の窪みを備える。取付け手段７又はシリンダヘッドボルトは、取付け手段７が完全に沈み込み、衝撃ストリップ上側４ａが隆起を有さないよう、取付け手段ガイド開口部６内に配置されている。
【００５９】
走行面３は、取付け手段７を受容する少なくとも１つの取付け手段受容部８を備える。取付け手段受容部８は、この場合、走行面３の外側から径方向へ回転軸Ｒの方向に延在する。取付け手段受容部８が、例えば対称軸又は中心軸によって主軸Ｈを画定する。主軸Ｈは、回転軸Ｒと交差し、回転軸Ｒに対して例えば垂直に屹立する。
【００６０】
取付け手段受容部８は、当接部９及び受容部１０を備える。受容部１０は、穴によって構成され、内径ねじを備える。そのため取付け手段７は、取付け手段受容部８又は受容部１０内にねじ留め可能である。当接部９は、図示の実施形態において、座ぐり穴によって、特に円筒形状の窪みによって構成されている。例えば当接部９が、第２の穴によって、特に受容部１０の直径よりも大きな直径を有する第２の穴によって構成されてもよい。
【００６１】
当接部９は、第１当接部９ａ及び第２当接部９ｂを備える。第１当接部９ａは、円筒形状の窪みの円筒外殻面によって構成される。第２当接部９ｂは、円筒形状の窪みの基底面によって構成される。第２当接部９ｂが、平面図で円環を構成する。
【００６２】
衝撃ストリップ４と走行面３との間に、嵌合具１１が配置されている。嵌合具１１は、衝撃ストリップ４を固定する第１固定部１２ａ及び第２固定部１２ｂを備える。固定部１２ａ、１２ｂは、主軸Ｈに対して径方向に及び／又は回転軸Ｒに対して回転方向に、衝撃ストリップ４と形状による係合を構成する。第１固定部１２ａは第１衝撃ストリップ側面４ｃに当接する。第２固定部１２ｂは第２衝撃ストリップ側面４ｄに当接する。そのため衝撃ストリップ４は、形状による係合的に、両方の固定部１２ａ、１２ｂの間に保持されている。
【００６３】
嵌合具１１は、下部支承部１４及び上部支承部１５を備える。両方の支承部１４、１５は、主軸Ｈに対して径方向に延在する。両方の固定部１２ａ、１２ｂは、主軸Ｈに対して平行に、上部支承部１５に隣接する。両方の固定部１２ａ、１２ｂが、衝撃ストリップ上側４ａの方向に延在する。
【００６４】
接触部１３は、主軸Ｈに対して軸方向に、下部支承部１４に隣接する。接触部１３が、第１接触領域１３ａ及び第２接触領域１３ｂを備える。第１接触領域１３ａは、第１当接部９ａに当接し、主軸Ｈに対して径方向に、第１当接部９ａと形状による係合を構成する。第２接触領域１３ｂは、第２当接部９ｂに当接し、主軸Ｈに対して軸方向に、第２当接部９ｂと形状による係合を構成する。
【００６５】
衝撃ストリップ下側４ｂは、嵌合具１１の上部支承部１５上に当接する。そのため、主軸Ｈに対して軸方向に及び／又は回転軸Ｒに対して径方向に、形状による係合が構成されている。下部支承部１４は、図示の実施形態では、走行面３に対して僅かの遊びを有して、径方向に主軸Ｈに対して外側に走る。代替的に、下部支承部１４が走行面３上に全面で又は部分的に支承される。例えば、第２接触領域１３ｂは、第２当接部９ｂに当接する、又は第２当接部９ｂに対して離間して配置されている。
【００６６】
嵌合具１１は嵌合具開口部１６を備える。取付け手段７は、例えば嵌合具１１が組立られた状態で、嵌合具開口部１６を介して嵌合具１１を貫通する。嵌合具開口部１６は穴である。穴は、中央にセンタリングされて嵌合具１１に施されている。取付け手段ガイド開口部６、嵌合具開口部１６、及び取付け手段受容部８は、主軸Ｈに対して相互に同軸に配置されている。取付け手段７は、主軸Ｈに沿って軸方向に、取付け手段受容部８内に、ねじ留めされている及び／又はねじ留め可能である。そのため取付け手段７が、衝撃ストリップ４及び嵌合具１１を、径方向に走行面３の方向へ、力で付勢する。
【００６７】
図３ａ、図３ｂ、及び図３ｃは、嵌合具１１を異なる視点で示す。この場合、図３ａは嵌合具１１を平面図で示す。図３ｂは嵌合具１１を正面図で示す。図３ｃは嵌合具１１を後方から斜めに示す。また図３ｄは嵌合具１１を前方から斜めに示す。
【００６８】
嵌合具１１は、平面図で円環形状を有する。嵌合具１１が、上側又は上部支承部１５上に、両方の固定部１２ａ、１２ｂを備える。例えば、両方の固定部１２ａ、１２ｂは溝によって構成される。溝は、例えば分離方法を用いて、嵌合具１１に施される。例えば、嵌合具１１は円筒としての原型に形成されている。両方の固定部１２ａ、１２ｂは、円筒の切欠によって構成される。両方の固定部１２ａ、１２ｂが、相互に平行して走る。両方の固定部１２ａ、１２ｂの間隔は、衝撃ストリップ４の幅に対応する。例えば、両方の固定部１２ａ、１２ｂは、少なくとも５ｍｍの高さを有する。
【００６９】
接触部１３は、円筒形状を有する。接触部１３が、嵌合具１１の下側に、又は下部支承部１４に、中央にセンタリングされて配置されている。嵌合具開口部１６は、この場合貫通穴であり、接触部１３に対して同心で配置されている。そのため、接触部１３が中空円筒として形成されている。下部支承部１４は、下面図において円環として形成されている。接触部１３の第１接触領域１３ａは、接触部１３又は中空円筒の円筒外殻面によって構成されている。第２接触部１３ｂは、接触部１３又は中空円筒の基底面によって構成されている。嵌合具１１は、例えば一個部品で、又は一部分で形成されている。例えば、嵌合具１１は金属材料及び／又はプラスチック材料及び／又は複合材料からなる。
【００７０】
図４は、走行ドラム装置１の部分を三次元で示す。走行ドラム装置１は、複数の取付け手段受容部８を備える。取付け手段受容部８は、回転軸Ｒに対して回転方向に及び／又は軸方向に、走行面３上に、相互に等間隔で配置されている。例えば取付け手段受容部８は、１つ以上の円において、回転軸Ｒに対して同心に及び／又は同軸に配置されている。
【００７１】
衝撃ストリップ４は、走行面３上で回転軸Ｒに対して平行に配置されている。衝撃ストリップ４は、この組立位置において、取付け軸Ｂを画定する。取付け軸Ｂは、特に、衝撃ストリップ４の長手方向軸又は対称軸によって構成され、回転軸Ｒに対して平行に走る。衝撃ストリップ４が、図示の実施形態において４つの取付け点を有する。各取付け点は、取付け軸Ｂ上にある。取付け点は、例えば、取付け手段受容部８、嵌合具１１、及び取付け手段７によって構成されている。衝撃ストリップ４を取付けるために使用されない走行ドラム２の更なる取付け手段受容部８には、例えばキャップ又はねじ手段である閉鎖手段１７が装備されている。閉鎖手段１７は、例えば汚れから取付け手段受容部８を保護する機能を有する。
【００７２】
図５は、衝撃ストリップ４を代替的に取付けた走行ドラム装置を、図４と同様に示す部分図である。衝撃ストリップ４は、取付け軸Ｂに対してねじれて配置されている。そのため、衝撃ストリップ４及び取付け軸Ｂが、角度αをなす。例えば、角度αは、３０度又は４５度とする。衝撃ストリップ４は、図において、軽く曲げられた形状を有する。この形状は、走行面３に対して回転方向に適合するものであり、そのために衝撃ストリップが、例えば全面で走行面３上に当接する。衝撃ストリップ４の軸方向端部は面取りされている。そのため、走行面３又は走行ドラム２と同一平面での結合が達成される。
【００７３】
図６は、衝撃ストリップ４、取付け手段７、及び嵌合具１１を備える走行ドラム装置１の部分図を分解図で示す。嵌合具１１、取付け手段７、及び衝撃ストリップ４の取付け手段ガイド開口部６は、主軸Ｈに対して同軸に配置されている。エラストマー層１８は、走行面３と衝撃ストリップ４との間に配置されている。エラストマー層１８は、走行面において破損を回避する及び／又は公差を補償する役割を果たす。例えばエラストマー層は、例えば衝撃ストリップ下側４ｂ及び／又は走行面３に、例えば接着によって取付け可能なゴムストリップである。エラストマー層１８が、例えば部分的に又は全面で、衝撃ストリップ４と走行面３との間に配置されている。
【００７４】
図７は、衝撃ストリップ４を三次元で下から示す図である。衝撃ストリップ４は、衝撃ストリップ下側４ｂに、４つのリセス１９を備える。リセス１９は、各１つの嵌合具１１がリセス１９のうちの１つのリセス１９に受容可能であるように、形成されている。リセス１９によって、衝撃ストリップ４は衝撃ストリップ下側４ｂで、走行面３又はエラストマー層１８上に全面で又は部分的に支承される。リセス１９は、相互に等間隔で配置されており、取付け手段ガイド開口部６の領域で衝撃ストリップ４の全幅に亘って延在する。リセス１９は、衝撃ストリップ４の長手方向延在部において限定されている。リセス１９の長さは、長手方向で、少なくとも嵌合具１１の長さ又は直径に対応する。例えば、嵌合具１１及びリセス１９は、衝撃ストリップ４の長手方向延在部で、更なる形状による係合を構成する。
【００７５】
図８は、代替設計の実施例である衝撃ストリップ４及び嵌合具を、図２と同様に示す図である。衝撃ストリップ４は、この場合、衝撃ストリップ下側４ｂに、凹部２０を備える。例えば、凹部２０は溝である。溝は、衝撃ストリップ４の長手方向延在部において、完全に又は部分的に延在する。例えば、凹部２０は矩形又は台形の断面を有する。凹部２０によって、第１ブリッジ部２１ａ及び第２ブリッジ部２１ｂが構成されている。両方のブリッジ部２１ａ、２１ｂは、この場合、相互に平行に離間して、例えば回転軸Ｒに対して軸方向に走る。代替的な実施形態において、嵌合具１１は、平面図において、２つの対向する側で平坦にされている。そのため、第１接触部２２ａ、及び第２接触部２２ｂが構成されている。例えば、嵌合具１１は円筒としての原型に形成されている。両方の更なる接触部２２ａ、２２ｂは、円筒を両側で平坦にすることによって構成される。
【００７６】
両方の更なる接触部２２ａ、２２ｂは、衝撃ストリップ４と共に、特に両方のブリッジ部２１ａ、２１ｂと共に、主軸Ｈに対して径方向に及び／又は回転軸Ｒに対して回転方向に、形状による係合を構成する。第１の更なる接触部２２ａは第１ブリッジ部２１ａに、特に第１ブリッジ部２１ａの内側に当接する。第２接触部２２ｂは第２ブリッジ部２１ｂに、特に第２ブリッジ部２１ｂの内側に当接する。衝撃ストリップ４は、嵌合具１１を両側で包囲する。嵌合具１１が、両方のブリッジ部２１ａ、２１ｂの間に、形状による係合的に保持されている。
【００７７】
既に図２に関して記載したように、第１接触領域１３は、第１当接部９ａに当接し、主軸Ｈに対して径方向に、第１当接部９ａと形状による係合を構成する。第２接触領域１３ｂは、第２当接部９ｂに当接し、主軸Ｈに対して軸方向に、第２当接部９ｂと形状による係合を構成する。代替的に又は任意補完的に、下部支承部１４は走行面３上に全面で又は部分的に支承される。
【００７８】
衝撃ストリップ下側４ｂは、走行面３及び／またはエラストマー層１８上に支承される。そのため、主軸Ｈに対して軸方向に及び／又は回転軸Ｒに対して径方向に、形状による係合が構成されている。代替的に又は任意補完的に、凹部２０の基底面は、上部支承部１５上に支承される。そのため、特に、衝撃ストリップ下側４ｂ及び走行面３及び／又は凹部２０の基底面及び上部支承部１５が、主軸Ｈに対して軸方向に及び／又は回転軸Ｒに対して径方向に、形状による係合を構成する。
【００７９】
図９は、衝撃ストリップ４、取付け手段７、嵌合具１１、及び走行面３又は走行ドラム２を、主軸Ｈに沿った長手方向断面図で示す。リセス１９及び／又は凹部２０は、例えば円盤カッタによって構成される。嵌合具１１は、回転軸Ｒに対して径方向に及び／又は軸方向に、リセス１９及び／又は凹部２０に対して離間して配置されている。
【符号の説明】
【００８０】
１  走行ドラム装置
２  走行ドラム
３  走行面
４  衝撃ストリップ
４ａ  衝撃ストリップ上側
４ｂ  衝撃ストリップ下側
４ｃ  第１衝撃ストリップ側面
４ｂ  第２衝撃ストリップ側面
５  走行ドラム受容部
６  取付け手段ガイド開口部
７  取付け手段
８  取付け手段受容部
９  当接部
９ａ  第１当接部
９ｂ  第２当接部
１０  受容部
１１  嵌合具
１２ａ  第１固定部
１２ｂ  第２固定部
１３  接触部
１３ａ  第１接触領域
１３ｂ  第２接触領域
１４  下部支承部
１５  上部支承部
１６  嵌合具開口部
１７  閉鎖手段
１８  エラストマー層
１９  リセス
２０  凹部
２１ａ  第１ブリッジ部
２１ｂ  第２ブリッジ部
２２ａ  第１の更なる接触領域
２２ｂ  第２の更なる接触領域
Ｒ  回転軸
Ｈ  主軸
Ｂ  取付け軸
【国際調査報告】
2019525143.tif 000015
2019525143.tif 000016
2019525143.tif 000017
2019525143.tif 000018